(57)【要約】  本発明は、ベッドと、２つの対向する掃引コイルと、交番磁場を発生させる上部コイル及び下部コイルとを備える、核磁気共鳴療法装置に関する。【選択図】図１
2019514660.tif 000002
【特許請求の範囲】
【請求項１】
核磁気共鳴療法装置であって、
ベッドと、該ベッドの側面に配置されたコイル、特に掃引コイルであって、該コイルの間の空間が治療容積を画定する、コイルとを備え、磁場、特に交番磁場を発生させる、前記ベッドの下方に配置された第１の更なるコイルと、磁場、特に交番磁場を発生させる、前記治療容積の上方に配置された第２の更なるコイルとを更に備える、核磁気共鳴療法装置。
【請求項２】
前記第２の更なるコイルは、上向きに枢動するように又は上昇するように適合されている、請求項１に記載の核磁気共鳴療法装置。
【請求項３】
少なくとも前記第２の更なるコイルは、内部開口部と、平面図で見た場合に好ましくはほぼ矩形の形状とを有するリング型ケーシング内に配置されている、請求項１又は２に記載の核磁気共鳴療法装置。
【請求項４】
２つのコイル、特に、１つの掃引コイル及び前記第２の更なるコイルは、前記治療容積の上方で、上向きに枢動させることができる傾斜部に取り付けられている、請求項１〜３のいずれか一項に記載の核磁気共鳴療法装置。
【請求項５】
前記傾斜部は、ピボットジョイントを介して該装置の残りの部分に結合されている、請求項４に記載の核磁気共鳴療法装置。
【請求項６】
前記傾斜部は、少なくとも５０度、好ましくは少なくとも７０度の角度だけ上向きに枢動するように適合されている、請求項４又は５に記載の核磁気共鳴療法装置。
【請求項７】
前記傾斜部は、少なくとも１つの動作ユニット、特に画面を備える、請求項４〜６のいずれか一項に記載の核磁気共鳴療法装置。
【請求項８】
前記傾斜部は、少なくとも１つ、好ましくは複数のトラクションガススプリングにより上向きに枢動した位置で保持されるように適合されている、請求項４〜７のいずれか一項に記載の核磁気共鳴療法装置。
【請求項９】
少なくとも１つのコイルは、ポッティング化合物に、特に樹脂に埋め込まれている、請求項１〜８のいずれか一項に記載の核磁気共鳴療法装置。
【請求項１０】
前記第２の更なるコイルが上向きに枢動した位置又は上昇した位置にあるか否かを検出する手段を備える、請求項２〜９のいずれか一項に記載の核磁気共鳴療法装置。
【請求項１１】
少なくとも該装置の起動時に、好ましくは周期的に、前記コイルのうちの１つのアンペア数及び／又は前記コイルのうちの少なくとも１つによって生成される交番磁場の周波数を測定するために使用される制御ユニットを備える、請求項１〜１０のいずれか一項に記載の核磁気共鳴療法装置。
【請求項１２】
前記治療容積は、１．４ｍ〜２．５ｍの長さ、０．４ｍ〜１ｍの幅及び／又は０．４ｍ〜１ｍの高さを有する、請求項１〜１１のいずれか一項に記載の核磁気共鳴療法装置。
【発明の詳細な説明】
【技術分野】
【０００１】
本発明は、核磁気共鳴療法装置、すなわち、治療すべき組織において治療の目的で核磁気共鳴を達成することができる装置に関する。
【背景技術】
【０００２】
核磁気共鳴療法装置は既知である。例えば、特許文献１は、治療すべき組織において治療の目的で核磁気共鳴を達成することができる装置を開示している。
【０００３】
この特許に開示されている装置には、上部が開放しており、ユーザーは、トロイダルコイルを収容する或る種のチューブ内に横たわる必要がないという利点がある。
【０００４】
核磁気共鳴療法装置は、通常、ＮＭＲイメージング装置と比較して低い磁場強度で動作する。治療すべき組織の領域において、ｍＴ範囲の磁場強度で、可能な限り均一の磁場が生成される。この磁場は、基本量と、例えば鋸歯状に、或る特定の量で掃引される追加の磁場とから構成される。こうした磁場は、核磁気共鳴の理論の意味で静磁場を画定する。静磁場に対して垂直に、少なくとも掃引磁場の立下りフランクの間、交番磁場が照射され、交番磁場の周波数は、掃引中、掃引磁場が低下する度に、治療すべき組織におけるスピンが反転するように、掃引磁場の磁場強度に調整される。
【０００５】
こうした処置により、組織の損傷、特に軟骨及び骨の損傷の再生を達成することができることが、科学的に立証された。セルライトの処置に対する美容分野では、この形態の療法を同様に適用することができる。
【０００６】
特に、関節炎の治療の分野において大成功が収められた。この処置により軟骨の損傷を再生することができるように軟骨組織を再生することができることが分かった。
【０００７】
特に関節炎の治療では、軟骨の損傷は、特に高齢の患者の場合、身体の多くの領域にわたって広がることが多いため、可能な限り最大の治療容積を提供することが望ましい。
【先行技術文献】
【特許文献】
【０００８】
【特許文献１】独国特許第１０２００９０６０５４４号
【発明の概要】
【発明が解決しようとする課題】
【０００９】
この背景を考慮して、本発明の目的は、可能な限り最大の治療容積を提供し、ユーザーが、可能な限り最も快適かつ好都合な方法で入ることができる、核磁気共鳴療法装置を提供することである。
【００１０】
当該装置は、運動制限のある関節炎患者に対して特に適している。
【課題を解決するための手段】
【００１１】
本発明の目的は、請求項１に記載の核磁気共鳴療法装置によって既に達成される。
【００１２】
本発明の好ましい実施形態及び更なる改良形態は、従属請求項の主題によって特定される。
【００１３】
本発明は、治療容積を通して可能な限り均一に広がる磁場を掃引し、同時に、少なくとも掃引磁場が低下する間、掃引磁場に対して垂直な交番磁場を照射することにより、治療すべき組織において核磁気共鳴を達成するために使用することができる、核磁気共鳴療法装置、すなわち、基本原理から既知でありかつ導入部分に記載した装置に関する。
【００１４】
掃引磁場の磁場強度は、特に、０．１ｍＴ〜１００ｍＴ、好ましくは０．３ｍＴ〜３ｍＴである。これには、１ｍＴ〜１００ｍＴの交番磁場の、好ましくは１０ｋＨｚ〜１００ｋＨｚの周波数が伴う。
【００１５】
交番磁場の最大磁場強度は、好ましくは０．１ｍＴ〜１００ｍＴ、より好ましくは０．１ｍＴ〜３ｍＴである。
【００１６】
患者を収容するために、核磁気共鳴療法装置は、好ましくは実質的に水平の向きに配置されるベッドを備える。しかしながら、或る種のリクライニングチェア、すなわち、特に、上部が下部より急な角度で傾斜しているベッドを有することが同様に考えられる。
【００１７】
ベッドの両側において、それぞれのコイル、特に掃引コイルが、ベッドの側面に配置され、それにより、コイルの間の空間によって治療容積が画定される。
【００１８】
これらのコイルは、好ましくは、実質的にヘルムホルツ構成で配置され、したがって、ベッドを横切って広がる実質的に均一な磁場を発生させる。
【００１９】
好ましくは、掃引コイルとして、１０巻〜３００巻を有する銅コイルが使用される。
【００２０】
好ましくは、掃引コイルのみにより、上述したように基本量及び変調量からなる掃引磁場が生成される。
【００２１】
しかしながら、掃引磁場の基本量は、好ましくは同様に核磁気共鳴療法装置の側部に配置される永久磁石により、完全に又は部分的に生成されることが同様に考えられる。
【００２２】
掃引コイルの間に画定された治療容積内で核磁気共鳴を発生させるために、掃引磁場に対して垂直に交番磁場が生成される。
【００２３】
この目的で、本発明による核磁気共鳴療法装置は、磁場、特に交番磁場を発生させる第１のコイルを備え、第１のコイルはベッドの下方に配置される。
【００２４】
磁場、特に交番磁場を発生させる第２のコイルが、治療容積の上方に配置される。したがって、この第２のコイルは、好ましくは、掃引コイルの上方に又は直接隣接して配置される。
【００２５】
交番磁場を発生させる第１の更なるコイル及び第２の更なるコイルもまた、好ましくは、ヘルムホルツ構成で配置される。治療中、それらのコイルは、患者の上方及び下方に配置される。その結果、治療容積内に交番磁場が生成され、この交番磁場は、全治療容積にわたって交番磁場を発生させる単一コイルと比較して、全治療容積内に高い磁場強度を有する。
【００２６】
したがって、本発明は、治療すべき組織において核磁気共鳴を発生させることができる、磁場を用いる治療のための装置に関し、好ましくは、側面に配置されるコイルにより、実質的静磁場が生成され、２つのコイルを用いてその磁場に対して垂直に、交番磁場が生成され、コイルのうちの一方はユーザーの下方に配置され、一方は上方に配置される。
【００２７】
しかしながら、本発明の趣旨の範囲内で、交番磁場を発生させるコイルが側面に配置され、実質的静磁場を発生させるコイルがユーザーの上方及び下方に配置される逆の配置も、同様に考えられる。
【００２８】
交番磁場を発生させるコイルは、好ましくは、実質的に掃引コイルと同じ長さを有する。より具体的には、それらのコイルは、掃引コイルと同じ長さ±２０％の長さを有する。
【００２９】
本発明の別の実施形態では、交番磁場を発生させる第２のコイルは、上向きに枢動するように又は上昇するように構成される。
【００３０】
特に、交番磁場を発生させる上部コイルは、掃引コイルのケーシングの上で蝶番式に取り付けられ、少なくとも３０度、好ましくは少なくとも４０度の角度だけ上向きに枢動させることができる。特に運動制限のある患者は、このようにしてより容易にベッドに到達することができる。
【００３１】
本発明の１つの実施形態では、交番磁場を発生させる上部コイルすなわち第２のコイルは、内部開口部と、平面図で見た場合に好ましくは実質的に矩形の形状とを有するリング型ケーシング内に配置される。
【００３２】
したがって、ケーシングは、交番磁場を発生させる上部コイルを収容する或る種のフレームを形成する。
【００３３】
このフレームは、好ましくは、２００ｍｍ未満、より好ましくは１００ｍｍ未満の直径を有する。したがって、フレーム内部に自由領域があり、それにより、核磁気共鳴療法装置は、上部コイルがあるにも関わらず、上部が広く開放している。本発明の装置内に横たわる患者は、このように、それほど狭苦しく感じない。
【００３４】
治療容積の上方の上部コイルは、好ましくは、実質的にベッドの形状に従い、特に、ベッド表面の７０％の長さにわたって延在する。
【００３５】
交番磁場を発生させるコイル及び／又は掃引磁場を発生させるコイルは、特に、ケーシング内に配置することができ、このケーシングは、その主伸長方向に相互に平行な側面を有し、そこではコイルは直線状に延在し、一方で、幅狭側では、コイルは、特に円弧の形態で弓形に延在する。ケーシングは、好ましくは、少なくとも部分的に中心開口部を有する。
【００３６】
このように、簡単な方法で、ベッドの上方に位置する治療容積に適合された大きい磁場を発生させることができる。
【００３７】
本発明の好ましい実施形態では、２つのコイル、特に、掃引コイルと、好ましくは交番磁場を発生させる役割を果たす第２の更なるコイルとが、上向きに枢動させることができる傾斜部に取り付けられる。
【００３８】
そのため、本発明のこの実施形態によれば、治療容積内に核磁気共鳴を発生させる役割を果たす、合計４つのうちの２つのコイルを合せて上向きに枢動させ、それにより、ユーザーが、好ましくはベッドの形態の装置に容易に入ることができることが企図される。
【００３９】
特に、傾斜部は、ピボットジョイントを介して装置の残りの部分に結合されることが企図される。
【００４０】
広いアクセス領域を提供するために、傾斜部は、本発明の好ましい実施形態により、少なくとも５０度、好ましくは少なくとも７０度の角度だけ上向きに枢動するように適合される。
【００４１】
傾斜部は、ばねにより、特にトラクションガススプリングにより、上向きに枢動した位置で保持することができる。こうしたばねは、容易な上下の枢動を確実にすることができる。
【００４２】
好ましくは、装置は、少なくとも２つ、より好ましくは４つのトラクションスプリングを備える。これにより、例えば、１つのトラクションスプリングが故障した場合、２つのコイルを伴う傾斜部の全重量が落下しないことを確実にすることができる。
【００４３】
本発明の１つの改良形態によれば、傾斜部は、少なくとも１つの動作ユニット、特に、例えば、タッチスクリーンの形態で提供することができる画面を備える。
【００４４】
動作ユニットは、特に、傾斜部の上部コーナーに配置することができ、好ましい実施形態によれば、動作ユニットは、水平面及び垂直面両方に関して傾斜しており、それにより、装置の操作者に面するように斜めに配置される。
【００４５】
より具体的には、画面の表面は、垂直面に対して２０度〜８０度、好ましくは３０度〜７０度の角度だけ傾斜させることができる。
【００４６】
傾斜部は、内部に配置された電子制御構成要素、特に、コイルを制御する制御ユニットを更に有することができる。制御ユニットの重量のある構成要素は、好ましくは、可動傾斜部内ではなく、装置のベッド面の下方に配置される。
【００４７】
本発明の１つの改良形態では、少なくとも１つのコイルが、ポッティング化合物に、すなわち埋込用樹脂に埋め込まれる。
【００４８】
特に、コイルは、好ましくはプラスチック材料から作製されたケーシング内に導入され、かつポッティング化合物を用いて埋め込まれることが企図される。
【００４９】
ポッティング化合物の使用により、コイルが、特にローレンツ力により移動するのが防止される。特に、不快になるような騒音をこのようにしてなくすことができる。
【００５０】
好ましくは、ケーシング用のプラスチックとして、繊維強化複合材料、特にＧＦＲＰ又はＣＦＲＰが使用される。
【００５１】
本発明の更なる実施形態では、装置は、交換可能なベッド面を備える。したがって、ベッド面は、異なる形状の、又は、身体部分を固定するためのストラップ等、他の機能的処置構成要素を備えた、別のベッド面と交換することができる。
【００５２】
本発明の更なる実施形態では、装置は、可変色の照明手段を備え、その照明手段は、好ましくは、ＬＥＤ光ストリップの形態で提供される。
【００５３】
装置の動作中、すなわち、核磁気共鳴が生成されているとき、光の色が変化することが特に意図されている。
【００５４】
さらに、照明手段を用いて、例えば、第２の更なるコイルの上に配置された、ベッド面の上に横方向の細長い光を投影する２つの光ストリップを有することにより、治療容積をマークすることができる。
【００５５】
本発明の更なる実施形態では、装置は、少なくとも装置の起動時に、コイルのうちの１つのアンペア数、及び／又はコイルのうちの少なくとも１つによって生成される交番磁場の周波数を測定するために使用される制御ユニットを備える。
【００５６】
本発明のこの実施形態は、掃引磁場に関して、掃引磁場の磁場強度がアンペア数の関数であるという事実を利用する。
【００５７】
したがって、アンペア数測定により、掃引磁場の磁場強度が目標範囲内にあるか否かを検査することができる。
【００５８】
エラーにより、目標範囲内に当てはまらない場合、治療容積における共鳴状態の達成は保証されず、装置は、エラーメッセージを発して、治療を停止する。
【００５９】
好ましくは、交番磁場はまた、その周波数に関して制御される。
【００６０】
本発明の好ましい実施形態によれば、交番磁場の周波数及び／又はアンペア数は、同様に進行中の動作中に制御される。
【００６１】
本発明の好ましい実施形態では、アンペア数の検査及び／又は交番磁場の周波数の検査は、各コイルに対して個別に行われる。したがって、エラーの場合、エラーの原因を突きとめることが容易に可能である。
【００６２】
本発明の更なる実施形態では、装置は、特にスイッチとして構成されるセンサーを備え、そのセンサーにより、装置が閉鎖しているか否か、すなわち、特に、傾斜部がその下方に枢動した位置にあるか否かが検査される。
【００６３】
したがって、装置が部分的に開放しているときではなく、コイルが互いに対して正しい位置にあるときにのみ、治療を行うことができる。
【００６４】
本発明の１つの実施形態では、制御ユニットは、治療が中断されると時間を停止するタイマーを備え、装置が再始動されると、入力されたか又は記憶された総治療時間に達するまで、治療を継続する。これにより、治療が中断された場合であっても、所望の治療時間が正確に達成されることが確実になる。
【００６５】
本発明の１つの実施形態では、掃引コイルは、各々、ベッドに隣接する側部に配置され、側部のうちの一方は、下降するか又は上向きに枢動するように構成されている。
【００６６】
本発明の第１の実施形態では、掃引コイルを収容する側部は、好ましくは、下降状態で実質的にベッド面をそれ以上越えて突出しないように、下向きに移動させることができる。側部が下降し、交番磁場を発生させる上部コイルのケーシングが任意選択的に上向きに枢動すると、患者又はユーザーは、核磁気共鳴療法装置内に容易に入ることができる。
【００６７】
好ましくは、一方の側部のみが、下降するか又は上向きに枢動するように構成される。したがって、この機構は、一方の側部のみに必要とされ、例えば、固定された側部を壁に接した状態で装置を配置することができる。
【００６８】
本発明の１つの実施形態では、掃引コイルの下部は直線形状を有し、掃引コイルの上部は湾曲形状を有する。特に、掃引コイルは、本質的に、部分円弧状の窓の形状を有する。したがって、掃引コイルの輪郭は、矩形と円弧又は楕円形の部分とから構成される。
【００６９】
この形状は、ユーザーの解剖学的構造に近似する。後部領域及び前部領域では、すなわち、治療中に四肢が配置される領域では、必要な治療容積は中心領域より小さい。
【００７０】
部分円弧は、特に、１ｍ〜２ｍの半径を有する。
【００７１】
本発明の１つの実施形態では、ベッドは、着脱可能モジュールの一部であり、このモジュールは、約１８０度回転させることができ、少なくとも、交番磁場を発生させる第１のコイルを備える。特に、ベッドを含むモジュールはまた、コイルを駆動する制御ユニットと、動作ユニットとを含む。動作ユニットは、好ましくは、前側又は後側に配置される。
【００７２】
ベッド及び制御ユニットを備えるモジュールは、他のコイルに、すなわち、掃引コイルに、かつ交番磁場を発生させる上部の第２のコイルに接続することができる。
【００７３】
本発明の装置が配置される場所に応じて、特に、動作パネル又はベッドのヘッドレストが所望の側に配置されるように、モジュールは、ベッドを約１８０度回転させて設置することができる。
【００７４】
本発明の１つの実施形態では、側部は、それぞれの掃引コイルを収容するケーシングの形態で構成される。少なくとも、一方の側の掃引コイルが下降するように構成されている場合、掃引コイルケーシングは、好ましくは、２つの柱の間に配置され、それらの間で掃引コイルケーシングが下降する。
【００７５】
本発明の好ましい実施形態では、核磁気共鳴療法装置によって提供される治療容積は、長さが１．４メートル〜２．５メートル、幅が０．４ｍ〜１ｍ及び／又は高さが０．４ｍ〜１ｍである。
【００７６】
ここで、図１〜図１６の図面を参照して、本発明の主題についてより詳細に説明する。
【図面の簡単な説明】
【００７７】
【図１】２つのコイルが上向きに枢動させることができる傾斜部に配置されている、本発明の第１の実施形態を示す、核磁気共鳴療法装置の斜視図である。
【図２】２つのコイルが上向きに枢動させることができる傾斜部に配置されている、本発明の第１の実施形態を示す、核磁気共鳴療法装置の斜視図である。
【図３】２つのコイルが上向きに枢動させることができる傾斜部に配置されている、本発明の第１の実施形態を示す、細部のワイヤーフレーム図である。
【図４】２つのコイルが上向きに枢動させることができる傾斜部に配置されている、本発明の第１の実施形態を示す、ハウジングなしに装置を示す図である。
【図５】２つのコイルが上向きに枢動させることができる傾斜部に配置されている、本発明の第１の実施形態を示す、図４の細部の図である。
【図６】２つのコイルが上向きに枢動させることができる傾斜部に配置されている、本発明の第１の実施形態を示す、装置のピボットジョイントの詳細図である。
【図７】２つのコイルが上向きに枢動させることができる傾斜部に配置されている、本発明の第１の実施形態を示す、装置がその開放状態で示されている斜視図である。
【図８】一方の側部が下降するように構成されている、本発明の更なる実施形態を示す、磁気共鳴療法装置の斜視図である。
【図９】一方の側部が下降するように構成されている、本発明の更なる実施形態を示す、隠れた縁部さえも見ることができるワイヤーフレーム図での核磁気共鳴療法装置の更なる斜視図である。
【図１０】一方の側部が下降するように構成されている、本発明の更なる実施形態を示す、交番磁場を発生させる上部コイルが上向きに枢動している、図９の核磁気共鳴療法装置を示す図である。
【図１１】一方の側部が下降するように構成されている、本発明の更なる実施形態を示す、核磁気共鳴療法装置の更なる斜視図である。
【図１２】一方の側部が下降するように構成されている、本発明の更なる実施形態を示す、核磁気共鳴療法装置の更なる斜視図である。
【図１３】一方の側部が下降するように構成されている、本発明の更なる実施形態を示す、掃引コイルの図である。
【図１４】一方の側部が下降するように構成されている、本発明の更なる実施形態を示す、交番磁場を発生させるコイルのコイルケーシングを示す図である。
【図１５】一方の側部が下降するように構成されている、本発明の更なる実施形態を示す、ベッドを備えるモジュールの斜視図である。
【図１６】一方の側部が下降するように構成されている、本発明の更なる実施形態を示す、磁気共鳴療法装置の断面図である。
【発明を実施するための形態】
【００７８】
図１は、核磁気共鳴療法装置１の第１の実施形態の斜視図である。
【００７９】
この実施形態の核磁気共鳴療法装置１は、ベッド面２を有するベッド２０を備え、ユーザーはその上に横になることができる。
【００８０】
ベッド２０は、台２１の上に配置されている。
【００８１】
ベッド２０に隣接して、コイルケーシング２３ａ、２３ｂが配置されており、それらは、この例示的な実施形態では、掃引磁場を発生させるために使用されるコイルを備える。
【００８２】
コイルケーシング２３ａ、２３ｂは、ケーシング２３ａ、２３ｂの長手方向縁部が互いに平行に延在している、実質的に矩形の中心部分を有する。幅狭側では、ケーシング２３ａ、２３ｂは、本実施形態では円弧の形態で湾曲なデザインを有する。
【００８３】
このように、ベッド面２と実質的に同じ長さを有し、広い治療容積を提供することができる、コイルケーシング２３ａ及び２３ｂを提供することができる。
【００８４】
治療容積は、コイルケーシング２３ａ及び２３ｂの間の容積と、ベッド面２とコイルケーシング２４との間の領域とによって画定される。
【００８５】
ベッド２０は、交番磁場を発生させるコイルを収容する。
【００８６】
交番磁場を発生させる更なるコイルは、コイルケーシング２３ａ及び２３ｂの上方に配置されるコイルケーシング２４内に配置されている。
【００８７】
コイルケーシング２４もまた、曲線的な幅狭側を備えた細長い形状を有する。
【００８８】
ベッド２０も同様に、曲線的な幅狭側を有し、ベッドは、コイルケーシング内のコイルに実質的に対応する形状を有するコイル（ここでは図示せず）を収容する。
【００８９】
コイルケーシング２４内のコイルもまた、交番磁場を発生させるために使用される。
【００９０】
ベッド２０内のコイルとコイルケーシング２４内のコイルとは、ヘルムホルツ構成で配置され、治療容積内に、磁場強度が均一な交番磁場が生成される。
【００９１】
このように、ユーザーの全身治療が、簡単な方法で可能になる。
【００９２】
全てのコイルケーシング２３ａ、２３ｂ、２４が、特に、治療中にユーザーの閉所恐怖症を緩和するように意図されている開口部３６を有する。
【００９３】
装置に入ることができるように、この例示的な実施形態の装置１は、傾斜部２２を備え、傾斜部２２は、実質的に中心に配置され、ヒンジの形態で設けられたピボットジョイント２５を中心に上向きに枢動させることができる。
【００９４】
傾斜部２２には、治療容積の上方に上部コイルのコイルケーシング２４が取り付けられ、傾斜部２２の前側に掃引コイルのコイルケーシング２３ｂが取り付けられている。
【００９５】
傾斜部２２が上向きに枢動しているとき、コイルケーシング２３ｂ及びコイルケーシング２４の両方が同時に上向きに枢動し、ユーザーは、ベッド面２に容易に到達することができる。
【００９６】
装置１を容易に開閉することができるように、傾斜部２２の下部にハンドル３７が設けられている。
【００９７】
傾斜部２２は、開口部３６の一部のみを横切って延在している。
【００９８】
傾斜部２２の上部コーナーに画面２６が配置されており、画面２６は、好ましくは、タッチスクリーンとして設計されている。制御ユニット（図示せず）もまた、傾斜部に配置することができる。
【００９９】
画面又は画面２６の表面は、好ましくはタッチスクリーンの形態で提供される画面に容易に手が届くことが可能であるように、垂直面に対して３０度〜７０度の角度で傾斜している。
【０１００】
カードリーダー等の他の制御構成要素もまた、この領域に配置することができる。
【０１０１】
ベッド面２は、取り外し、更なる治療構成要素を備える別のベッド面（図示せず）と交換することができる。
【０１０２】
図２は、図１に図示する装置１の後側の斜視図である。
【０１０３】
特にこの図において見ることができるように、装置１は、台２１に接続された後部２７を備え、後部には、一方にはコイルケーシング２３ａが取り付けられ、他方にはピボットジョイント２５が取り付けられている。
【０１０４】
後部２７は、この実施形態では、或る種の柱として、中心に上向きに延在している。
【０１０５】
装置１の制御構成要素も同様に後部２７に配置することができることが理解されよう。
【０１０６】
図３は、特にヒンジ２５を示す、斜視ワイヤーフレーム図である。
【０１０７】
傾斜部２２はハウジングから構成され、ハウジング内に、ビーム３０、好ましくは金属ビーム３０が埋め込まれている。
【０１０８】
これらのビーム３０は、ピボットジョイント２５に枢動可能に取り付けられている。
【０１０９】
枢動軸のビーム３０とは反対側に、それぞれのアーム２８ａ、２８ｂが設けられている。
【０１１０】
アーム２８ａ及び２８ｂの各々は、それぞれ２つのトラクションガススプリング２９ａ、２９ｂ及び２９ｃ、２９ｄに接続されている。
【０１１１】
トラクションガススプリング２９ａ〜２９ｄは、傾斜部２２を容易に上向きに枢動させることができる。トラクションガススプリング２９ａ〜２９ｄに関連するアーム２８ａ及び２８ｂの下向きの枢動により、レバーアームが伸長し、それにより、完全に開放した状態で、トラクションガススプリング２９ａ〜２９ｄは、装置の閉鎖状態より高い力をかけ、装置は、自動的に開放したままになる。
【０１１２】
図４は、ベッドの全てのハウジング構成要素及び部品を省略した斜視図を示す。
【０１１３】
したがって、コイル９及び１０を見ることができ、それらは、ヘルムホルツ構成で配置され、掃引磁場を発生させる役割を果たす。
【０１１４】
ベッドの下方に配置されたコイル１０ａとベッドの上方に配置されたコイル１０ｂとを用いて、交番磁場が照射され、その交番磁場は、掃引磁場に対して垂直に広がる。
【０１１５】
ビーム３０を見ることができ、ビーム３０は、角付き形状であり、ピボットジョイント２５に取り付けられている。
【０１１６】
ピボットジョイント２５の下方に、ロッド３４が取り付けられており、トラクションガススプリングの両端部はこのロッドに取り付けられており、したがって、更なるピボットジョイント３１を画定する。
【０１１７】
フレーム３２が、後部とベッドとの両方に対する支持ビームを備える。
【０１１８】
互いに接続されかつフレーム３２に蝶番式に取り付けられているビーム３０は、前側で隆起部３３を形成し、隆起部３３の後方で、コイル１０の上部が延在している。
【０１１９】
本発明の１つの実施形態によって示唆するように、フレーム３２及びビーム３０の金属部品は、電流の誘導を最小限にするために互いから絶縁することができる。
【０１２０】
図５は、図４の細部を示し、ここでは、ピボットジョイント２５の領域は、後側から明確に見ることができる。
【０１２１】
特に、ビーム３０と対向する後部アーム２８ａ及び２８ｂを見ることができ、それに、トラクションガススプリング２９ａ〜２９ｄが取り付けられている。
【０１２２】
さらに、回転可能ロッド３４を見ることができ、それは、ガススプリング２９ａ〜２９ｄの下端部に対するカウンターベアリングとしての役割を果たす。
【０１２３】
回転可能ロッドの代わりに、代替形態として、トラクションガススプリング２９ａ〜２９ｄの各下端部がロッドに回転可能に取り付けられることが同様に可能であることが理解されよう。
【０１２４】
各アーム２８ａ、２８ｂに対して、２つのトラクションガススプリングが設けられている。複数のトラクションガススプリングの使用が特に有利であり、その理由は、トラクションガススプリングが故障した場合であっても、傾斜部の全重量が落下する可能性がないようにするためであり、そうしなければ、そうした落下は、損傷の危険を伴うことになる。
【０１２５】
図６は、ピボットジョイント２５の領域のワイヤーフレーム図である。
【０１２６】
ビーム３０の周囲に延在する傾斜部２２のハウジング部３５を見ることができる。ピボットジョイント２５は、この図では開放状態で示す。
【０１２７】
ハウジング部３５は、ピボットジョイント２５の領域に円形円柱形状を有し、後部２７の対応する凹部内で回転する。
【０１２８】
図７は、開放状態にある核磁気共鳴療法装置１の斜視図である。
【０１２９】
見て分かるように、２つのコイルを支持する傾斜部２２は、約９０度上向きに枢動している。これにより、治療容積へ容易にアクセス可能であることが確保される。
【０１３０】
本発明の１つの実施形態によれば、例えば、異なる操作者に対してハンドル３７の最大高さを調整することができるように、装置１の操作者により開放角度の調整を行うことができる。
【０１３１】
さらに、この例示的な実施形態では、傾斜部２２は、互いに対向する光ストリップ３８を備える。この図では、一方の光ストリップ３８のみを見ることができる。対向する光ストリップは、傾斜部２２の他方の側でベッド面の上方に配置されている。光ストリップ３８は、好ましくは、可変色のＬＥＤ照明として設計される。
【０１３２】
光ストリップ３８は、治療容積をマークする役割を果たすことができ、装置１が動作状態にあるか否かも示すことができる。例えば、装置１の起動時、照明の色を変化させることができる。
【０１３３】
図８は、核磁気共鳴療法装置１の更なる実施形態の斜視図を示す。
【０１３４】
核磁気共鳴療法装置１は、この実施形態では水平に配置されているベッド２を備え、治療すべき患者（図示せず）は、全身をベッド２の上に横たえることができる。
【０１３５】
ベッド２は、ハウジング３を備えるモジュールの一部である。ベッド２に隣接しかつハウジング３に隣接して、側壁５及び６が配置されている。側壁５及び６は、詳細に後述するように、掃引コイルを収容する。
【０１３６】
さらに、この図では外側ハウジング７を見ることができ、外側ハウジング７は、側壁６を収納するハウジングの一部である。
【０１３７】
側壁５、６の上方に、交番磁場を発生させるコイルケーシング８が配置されている。
【０１３８】
ベッド２の下方に、ここでは見ることができない、交番磁場を発生させる更なるコイルが配置されている。
【０１３９】
さらに、ベッドを備えるモジュールは、このモジュールの前端部に配置されている制御ユニット４を含む。
【０１４０】
図９は、図８に示す核磁気共鳴療法装置１のワイヤーフレーム図であり、ここでは、Ｘ線画像のように、隠れた縁部、すなわち、核磁気共鳴療法装置１の内部を見ることができる。
【０１４１】
ここで、側壁５、６内に配置された２つの掃引コイル９及び１０を見ることができる。
【０１４２】
さらに、この図においては、側壁６が２つの柱１６、１７の間に配置されていて、側壁６を下向きに移動させることができ、それにより、掃引コイル１０が位置１０ａにあることが示されている。
【０１４３】
側部を下方に移動させる、すなわち下降させるために、様々な技術的オプションが考えられる。例えば、手動による下降が考えられる。この目的で、側部は、レールを走行することができ、ケーブル及びプーリーによりカウンターウエイトと結合することができる。カウンターウエイトは、側部が落下するのを阻止し、側部を手動で容易に上昇及び下降させることができるようにする。
【０１４４】
さらに、例えばスピンドル駆動装置を使用する、電動作動も同様に考えられる。
【０１４５】
掃引コイル９及び１０は、ヘルムホルツ構成で互いに対向して配置され、ベッド面の長さの大部分を覆う。
【０１４６】
コイルケーシング８もまた、ベッドの長さの大部分にわたって、略ベッドの全幅を横切って延在する。
【０１４７】
図１０は、図８及び図９に図示する核磁気共鳴療法装置１を示し、ここでは、交番磁場を発生させるコイルを含む上部コイルケーシング８が上向きに枢動している。この目的で、コイルケーシング８は側壁５に蝶番式に取り付けられている。
【０１４８】
ここで側壁６が下降すると、ユーザー１１は、核磁気共鳴療法装置に容易に入ることができる。
【０１４９】
図１１は、核磁気共鳴療法装置の更なる斜視図を示し、そこでは、モジュールとして構成されているハウジング３のベッド面が取り除かれている。
【０１５０】
ここで、交番磁場を発生させるコイル１２が、同様にベッド面の下方に配置されていることを見ることができる。このコイルは、ヘルムホルツ構成で交番磁場を発生させる上部コイルと同期する。
【０１５１】
ここで、治療容積内で、極めて均一な磁場強度を有する交番磁場が達成され、それは、側部に配置された掃引コイルの磁場に垂直に重なる。
【０１５２】
図１２は、核磁気共鳴療法装置１の図であり、ここでは、掃引コイル９及び１０を見ることができ、掃引コイル９及び１０の間で、ベッド２の上に治療容積が画定される。
【０１５３】
図１３は、掃引コイルの構成を示す。
【０１５４】
掃引コイルは、部分円弧状の窓の形状を有し、すなわち、矩形の下部と湾曲した上部とを有し、弧と下部との間で、コイルは直線状部分を有する。
【０１５５】
しかしながら、部分円弧としてコイルを設計すること、及び／又は少なくとも角度付きの領域に丸みをつけることも同様に考えられる。
【０１５６】
図１４は、交番磁場を発生させる上部コイル及び／又は下部コイルのコイルケーシング８、１５を示す。
【０１５７】
コイルケーシングは、実質的に矩形形状のリング型形状を有し、ベッド面の形状に実質的に適合される。中心開口部を備えたハウジングは、交番磁場を発生させるコイル１２を収容する。
【０１５８】
図１５は、ベッド面モジュールのハウジング３を示し、ハウジング３は、ヘッドレスト１３と、反対側の端部における、制御ユニット（図８における制御ユニット４）のための収納スロット１４とを備える。
【０１５９】
このモジュールは、約１８０度回転させることができ、それにより、制御ユニットは、所望の側に配置される。
【０１６０】
図１６は、核磁気共鳴療法装置１の断面図を示す。ここでは、ベッド面の下方に配置されたコイルケーシング１５を見ることができ、コイルケーシング１５は、交番磁場を発生させる下部コイルを収容する。また、側壁５も見ることができ、側壁５の中に掃引コイルが配置される。
【０１６１】
治療容積は、コイルケーシング１５からベッドの上方まで延在し、側壁の間に配置される。
【０１６２】
さらに、図面には示さない代替実施形態の変形では、参照番号６によって示す側壁は、上部コイルケーシング（参照番号８）に結合され、上部コイルケーシングとともに上向きに枢動することができる。
【０１６３】
本発明は、広い治療領域を達成することができ、特に、全身治療を可能にし、かつ患者に簡略化したアクセスを提供する、核磁気共鳴療法装置を提供することができた。
【符号の説明】
【０１６４】
１  核磁気共鳴療法装置
２  ベッド面
３  ハウジング
４  制御ユニット
５  側壁
６  側壁
７  外側ハウジング
８  コイルケーシング
９  掃引コイル
１０、１０ａ、１０ｂ  掃引コイル
１１  ユーザー
１２  コイル
１３  ヘッドレスト
１４  収納スロット
１５  コイルケーシング
１６  柱
１７  柱
２０  ベッド
２１  台
２２  傾斜部
２３ａ、２３ｂ  コイルケーシング
２４  コイルケーシング
２５  ピボットジョイント
２６  画面
２７  後部
２８ａ、２８ｂ  アーム
２９ａ〜２９ｄ  トラクションガススプリング
３０  ビーム
３１  ピボットジョイント
３２  フレーム
３３  隆起部
３４  ロッド
３５  ハウジング部
３６  開口部
３７  ハンドル
３８  光ストリップ
【図１】
2019514660.tif 000003
【図２】
2019514660.tif 000004
【図３】
2019514660.tif 000005
【図４】
2019514660.tif 000006
【図５】
2019514660.tif 000007
【図６】
2019514660.tif 000008
【図７】
2019514660.tif 000009
【図８】
2019514660.tif 000010
【図９】
2019514660.tif 000011
【図１０】
2019514660.tif 000012
【図１１】
2019514660.tif 000013
【図１２】
2019514660.tif 000014
【図１３】
2019514660.tif 000015
【図１４】
2019514660.tif 000016
【図１５】
2019514660.tif 000017
【図１６】
2019514660.tif 000018
【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
核磁気共鳴療法装置（１）であって、
ベッド（２０）と、該ベッドの側面に配置されたコイル、特に掃引コイル（９，１０）であって、該コイル（９，１０）の間の空間が治療容積を画定する、コイルとを備え、磁場、特に交番磁場を発生させる、前記ベッド（２０）の下方に配置された第１の更なるコイル（１０ａ）とを備え、磁場、特に交番磁場を発生させる、第２の更なるコイル（１０ｂ）が前記治療容積の上方に配置されている、核磁気共鳴療法装置。
【請求項２】
前記第２の更なるコイル（１０ｂ）は、上向きに枢動するように又は上昇するように適合されている、請求項１に記載の核磁気共鳴療法装置（１）。
【請求項３】
少なくとも前記第２の更なるコイル（１０ｂ）は、内部開口部と、平面図で見た場合に好ましくはほぼ矩形の形状とを有するリング型ケーシング（２４）内に配置されている、請求項２に記載の核磁気共鳴療法装置（１）。
【請求項４】
２つのコイル（１０，１０ｂ）、特に、１つの掃引コイル及び前記第２の更なるコイルは、前記治療容積の上方で、上向きに枢動させることができる傾斜部（２２）に取り付けられている、請求項１〜３のいずれか一項に記載の核磁気共鳴療法装置（１）。
【請求項５】
前記傾斜部（２２）は、ピボットジョイント（２５）を介して該装置の残りの部分に結合されている、請求項４に記載の核磁気共鳴療法装置（１）。
【請求項６】
前記傾斜部（２２）は、少なくとも５０度、好ましくは少なくとも７０度の角度だけ上向きに枢動するように適合されている、請求項４又は５に記載の核磁気共鳴療法装置（１）。
【請求項７】
前記傾斜部は、少なくとも１つの動作ユニット、特に画面を備える、請求項４〜６のいずれか一項に記載の核磁気共鳴療法装置。
【請求項８】
前記傾斜部（２２）は、少なくとも１つ、好ましくは複数のトラクションガススプリング（２９ａ-２９ｄ）により上向きに枢動した位置で保持されるように適合されている、請求項４〜７のいずれか一項に記載の核磁気共鳴療法装置（１）。
【請求項９】
少なくとも１つのコイルは（９、１０、１０ａ、１０ｂ）、ポッティング化合物に、特に樹脂に埋め込まれている、請求項１〜８のいずれか一項に記載の核磁気共鳴療法装置（１）。
【請求項１０】
前記第２の更なるコイル（１０ｂ）が上向きに枢動した位置又は上昇した位置にあるか否かを検出する手段を備える、請求項２〜９のいずれか一項に記載の核磁気共鳴療法装置（１）。
【請求項１１】
少なくとも該装置の起動時に、好ましくは周期的に、前記コイル（９，１０，１０ａ，１０ｂ）のうちの１つのアンペア数及び／又は前記コイル（９，１０，１０ａ，１０ｂ）のうちの少なくとも１つによって生成される交番磁場の周波数を測定するために使用される制御ユニットを備える、請求項１〜１０のいずれか一項に記載の核磁気共鳴療法装置（１）。
【請求項１２】
前記治療容積は、１．４ｍ〜２．５ｍの長さ、０．４ｍ〜１ｍの幅及び／又は０．４ｍ〜１ｍの高さを有する、請求項１〜１１のいずれか一項に記載の核磁気共鳴療法装置（１）。
【国際調査報告】
2019514660.tif 000019
2019514660.tif 000020
2019514660.tif 000021
2019514660.tif 000022
2019514660.tif 000023
2019514660.tif 000024
2019514660.tif 000025
2019514660.tif 000026
2019514660.tif 000027
2019514660.tif 000028